(57)【特許請求の範囲】
【請求項１】
中継装置と通信可能な無線基地局装置によって移動局との間でデータの無線通信を行う移動通信システムにおいて、
前記無線基地局装置は、
前記移動局から送信される前記データが伝送される伝送路の１回の転送で送信できるデータの最大値であるＭＴＵ値を記憶する基地局記憶手段と、
前記伝送路の前記ＭＴＵ値を取得し、取得した前記ＭＴＵ値を前記基地局記憶手段に記憶させる基地局取得手段と、
前記移動局に対して前記基地局記憶手段によって記憶されている前記ＭＴＵ値を通知する基地局通知手段と、
を有し、
前記移動局は、
前記基地局通知手段によって通知される前記伝送路の前記ＭＴＵ値を記憶する移動局記憶手段と、
前記基地局通知手段によって通知される前記ＭＴＵ値を取得し、取得した前記ＭＴＵ値を前記移動局記憶手段に記憶させる移動局取得手段と、
前記データの送信先に対して前記移動局記憶手段によって記憶されている前記ＭＴＵ値によって示されるデータサイズ以下で前記データを送信する移動局送信手段と、
を有し、
前記中継装置は、
前記移動局による前記データの送信先側の伝送路である送信先側伝送路の前記ＭＴＵ値を記憶する中継装置記憶手段と、
前記送信先側伝送路の前記ＭＴＵ値を取得する中継装置取得手段と、
前記無線基地局装置が有する前記基地局取得手段に対して前記中継装置記憶手段に記憶されている前記ＭＴＵ値を通知する中継装置通知手段と、
を有し、
前記基地局取得手段は、前記中継装置通知手段によって通知された前記ＭＴＵ値を取得し、当該ＭＴＵ値が前記基地局記憶手段に記憶されている前記ＭＴＵ値よりも小さい場合に、取得した前記ＭＴＵ値により前記基地局記憶手段に記憶されている前記ＭＴＵ値を更新する
ことを特徴とする移動通信システム。
【請求項２】
前記基地局取得手段は、前記伝送路の前記ＭＴＵ値を取得した場合には前記基地局記憶手段に記憶されている前記ＭＴＵ値との比較をせず、取得した前記ＭＴＵ値により前記基地局記憶手段に記憶されている前記ＭＴＵ値を更新する
請求項１記載の移動通信システム。
【請求項３】
前記基地局取得手段は、前記移動局においてハンドオーバが行われる場合には、前記移動局のハンドオーバ後に接続される前記無線基地局装置である移動先無線基地局装置の送信先側の前記伝送路の前記ＭＴＵ値を取得し、取得した前記ＭＴＵ値を前記基地局記憶手段に記憶させ、
前記基地局通知手段は、前記移動先無線基地局装置から取得された前記ＭＴＵ値が前記基地局記憶手段に記憶されると、前記基地局記憶手段に記憶されている移動先無線基地局装置から取得された前記ＭＴＵ値を前記移動局に通知することを特徴とする請求項１記載の移動通信システム。
【請求項４】
前記中継装置通知手段は、前記無線基地局装置が動作を開始する場合に、前記中継装置記憶手段に記憶されている前記ＭＴＵ値を前記無線基地局装置が有する前記基地局取得手段に対して通知し、
前記基地局取得手段は、前記無線基地局装置が動作を開始する場合に前記中継装置通知手段から通知された前記ＭＴＵ値を取得し、取得した前記ＭＴＵ値を前記基地局記憶手段に記憶させることを特徴とする請求項１記載の移動通信システム。
【請求項５】
中継装置と通信可能な無線基地局装置によって移動局との間でデータの無線通信を行う移動通信方法において、
前記無線基地局装置が、前記移動局から送信される前記データが伝送される伝送路の１回の転送で送信できるデータの最大値であるＭＴＵ値を取得し、
前記無線基地局装置が、取得した前記ＭＴＵ値を記憶し、
前記無線基地局装置が、前記移動局に対して記憶している前記ＭＴＵ値を通知し、
前記移動局が、前記無線基地局装置によって通知される前記ＭＴＵ値を取得し、
前記移動局が、取得した前記ＭＴＵ値を記憶し、
前記移動局が、前記データの送信先に対して記憶している前記ＭＴＵ値によって示されるデータサイズ以下で前記データを送信する工程を含み、さらに
前記移動局による前記データの送信先側の伝送路である送信先側伝送路の前記ＭＴＵ値を記憶する中継装置が、記憶している前記ＭＴＵ値を前記無線基地局装置に通知し、
前記無線基地局装置に通知された前記ＭＴＵ値が、前記無線基地局装置に記憶されている前記ＭＴＵ値よりも小さい場合に、前記無線基地局装置が、通知された前記ＭＴＵ値により前記無線基地局装置に記憶されている前記ＭＴＵ値を更新する工程を含む
ことを特徴とする移動通信方法。
【請求項６】
移動局との間でデータの無線通信を行う、中継装置と通信可能な通信装置において、
前記移動局から送信される前記データが伝送される伝送路の１回の転送で送信できるデータの最大値であるＭＴＵ値を記憶する記憶手段と、
前記伝送路の前記ＭＴＵ値を取得し、取得した前記ＭＴＵ値を前記記憶手段に記憶させる取得手段と、
前記移動局に対して前記記憶手段によって記憶されている前記ＭＴＵ値を通知する通知手段と、
を有し、
前記移動局による前記データの送信先側の伝送路である送信先側伝送路の前記ＭＴＵ値を記憶している前記中継装置が、記憶している前記ＭＴＵ値を前記通信装置に通知した場合に、前記取得手段は、前記中継装置から通知された前記ＭＴＵ値を取得し、当該ＭＴＵ値が前記記憶手段に記憶されている前記ＭＴＵ値よりも小さい場合に、取得した前記ＭＴＵ値により前記記憶手段に記憶されている前記ＭＴＵ値を更新する
ことを特徴とする通信装置。
【発明の詳細な説明】
【技術分野】
【０００１】
本発明は、移動通信システム、移動通信方法および通信装置に関し、特に、伝送路のＭＴＵ（Maximum Transmission Unit）に応じたデータサイズで移動局側からパケットを送信させる移動通信システム、移動通信方法および通信装置に関する。
【背景技術】
【０００２】
例えばＵ−Ｐｌａｎｅ伝送などのパケット（packet）を用いたデータ通信（パケット通信）では、情報の伝送に用いられる伝送路ごとに１回の伝送で送信できるパケットのサイズの最大値である、例えばＭＴＵが定められている。送信端末および受信端末ならびにその間の伝送路にある通信装置（ノード）において、ＭＴＵより大きいサイズのパケットを受信した場合には、パケット分割が可能であればＩＰパケットをＭＴＵより小さくなるように分割するフラグメンテーション（Fragmentation）処理が実行される。また、パケット分割が不可能であればフラグメンテーション処理が実行されることなくパケットが破棄される。このとき、ＩＰのエラーメッセージや制御メッセージを転送するプロトコルであるＩＣＭＰ（Internet Control Message Protocol）によって、到達不能メッセージとともに、ＭＴＵの値が通知される。このＭＴＵは、例えば無線通信における移動局のハンドオーバ（hand-over）などによる、伝送路のネットワーク構成の変化に従って変化する。
【０００３】
このパケット通信において、大きなサイズのパケットが伝送路上を占有すると、例えばＶｏＩＰ（Voice Over IP）等のリアルタイム性が要求されるパケットの伝送が揺らぐことにより、伝送品質を確保できない場合が生じる。この原因は、ネットワーク上でフラグメンテーション処理が実行されると処理負荷の増大を招くことにより、Ｕ-Ｐｌａｎｅのスループットが低下するためである。これを防止するためには、ネットワーク側で伝送されるパケットサイズを小さくし、パケット伝送の揺らぎを少なくする必要がある。
【０００４】
しかし、パケットサイズを小さくすることは、制御信号が増加して伝送効率が悪化するとともに、パケットの再構成の処理が増加することに繋がる。したがって、送信されるパケットサイズを適切に定めることが求められる。
【０００５】
これに対して、伝送路のＭＴＵを取得して、端末側からも伝送路側のＭＴＵを超えないサイズでデータパケットを送信するための技術が知られている（例えば、特許文献１から４参照）。
【特許文献１】特開２００５−２０４００１号公報
【特許文献２】特開２００１−２５１３５３号公報
【特許文献３】特開２００４−３３６７４８号公報
【特許文献４】特開２００６−１５７５４４号公報
【発明の開示】
【発明が解決しようとする課題】
【０００６】
しかし、端末側から呼接続の都度伝送路のＭＴＵ探索を実行すると、呼接続の確立に要する時間が増加するという問題点がある。
また、複数の端末によってＭＴＵ探索が実行されると、伝送路上のＭＴＵ探索の実行により伝送路を構成する装置の負荷が増加することにより、伝送路の使用効率が低下するという問題点がある。
【０００７】
本件はこのような点に鑑みてなされたものであり、伝送路を構成する装置の負荷の増加を抑えつつ伝送路のＭＴＵ値に応じたデータサイズで移動局側からデータを送信させることが可能な移動通信システム、移動通信方法および通信装置を提供することを目的とする。
【課題を解決するための手段】
【０００８】
開示の無線基地局装置によって移動局との間でデータの無線通信を行う移動通信システムでは、前記無線基地局装置は、前記移動局から送信される前記データが伝送される伝送路の１回の転送で送信できるデータの最大値であるＭＴＵ値を記憶する基地局記憶手段と、前記伝送路の前記ＭＴＵ値を取得し、取得した前記ＭＴＵ値を前記基地局記憶手段に記憶させる基地局取得手段と、前記移動局に対して前記基地局記憶手段によって記憶されている前記ＭＴＵ値を通知する基地局通知手段と、を有し、前記移動局は、前記基地局通知手段によって通知される前記伝送路の前記ＭＴＵ値を記憶する移動局記憶手段と、前記基地局通知手段によって通知される前記ＭＴＵ値を取得し、取得した前記ＭＴＵ値を前記移動局記憶手段に記憶させる移動局取得手段と、前記データの送信先に対して前記移動局記憶手段によって記憶されている前記ＭＴＵ値によって示されるデータサイズ以下で前記データを送信する移動局送信手段と、を有する。
【０００９】
開示の移動通信システムによれば、無線基地局装置が有する基地局記憶手段により、移動局から送信されるデータが伝送される伝送路のＭＴＵ値が記憶され、基地局取得手段により、伝送路のＭＴＵ値が取得され、取得されたＭＴＵ値が基地局記憶手段に記憶させられ、基地局通知手段により、移動局に対して基地局記憶手段によって記憶されているＭＴＵ値が通知される。移動局が有する移動局記憶手段により、基地局通知手段によって通知される伝送路のＭＴＵ値が記憶され、移動局取得手段により、基地局通知手段によって通知されるＭＴＵ値が取得され、取得されたＭＴＵ値が移動局記憶手段に記憶させられ、移動局送信手段により、データの送信先に対して移動局記憶手段によって記憶されているＭＴＵ値によって示されるデータサイズ以下でデータが送信される。
【００１０】
また、無線基地局装置によって移動局との間でデータの無線通信を行う移動通信方法では、前記無線基地局装置が、前記移動局から送信される前記データが伝送される伝送路の１回の転送で送信できるデータの最大値であるＭＴＵ値を取得し、前記無線基地局装置が、取得した前記ＭＴＵ値を記憶し、前記無線基地局装置が、前記移動局に対して記憶している前記ＭＴＵ値を通知し、前記移動局が、前記無線基地局装置によって通知される前記ＭＴＵ値を取得し、前記移動局が、取得した前記ＭＴＵ値を記憶し、前記移動局が、前記データの送信先に対して記憶している前記ＭＴＵ値によって示されるデータサイズ以下で前記データを送信する。
【００１１】
開示の移動通信方法によれば、無線基地局装置により、移動局から送信されるデータが伝送される伝送路のＭＴＵ値が取得され、取得されたＭＴＵ値が記憶され、移動局に対して記憶されているＭＴＵ値が通知される。次に、移動局により、無線基地局装置によって通知されるＭＴＵ値が取得され、取得されたＭＴＵ値が記憶され、データの送信先に対して記憶されているＭＴＵ値によって示されるデータサイズ以下でデータが送信される。
【００１２】
また、移動局との間でデータの無線通信を行う通信装置では、前記移動局から送信される前記データが伝送される伝送路の１回の転送で送信できるデータの最大値であるＭＴＵ値を記憶する記憶手段と、前記伝送路の前記ＭＴＵ値を取得し、取得した前記ＭＴＵ値を前記記憶手段に記憶させる取得手段と、前記移動局に対して前記記憶手段によって記憶されている前記ＭＴＵ値を通知する通知手段と、を有する。
【００１３】
開示の通信装置によれば、記憶手段により、移動局から送信されるデータが伝送される伝送路のＭＴＵ値が記憶され、取得手段により、伝送路のＭＴＵ値が取得され、取得されたＭＴＵ値が記憶手段に記憶させられ、通知手段により、移動局に対して記憶手段によって記憶されているＭＴＵ値が通知される。
【発明の効果】
【００１４】
開示の移動通信システム、移動通信方法および通信装置によれば、伝送路のＭＴＵを取得して端末装置に通知する。これにより、伝送路を構成する装置の負荷の増加を抑えつつＭＴＵ値に応じたデータサイズによって移動局側からデータを送信させることが可能になる。
【発明を実施するための最良の形態】
【００１５】
以下、実施の形態について、図面を参照して説明する。
図１は、本実施の形態の概要を示す図である。図１に示す移動通信システムは、無線基地局装置と移動局との間でデータの無線通信を行うことにより、移動局から送信先に無線基地局装置を通じてデータを送信する。この移動通信システムは、移動局１、無線基地局装置２を有する。無線基地局装置２には、ネットワーク４が接続されている。このネットワーク４を介して、移動局１は、データの送信先（図示省略）と接続される。
【００１６】
移動局１は、移動局取得手段１ａ、移動局送信手段１ｂおよび移動局記憶手段１ｃを有する。
移動局取得手段１ａは、基地局通知手段２ｂによって通知されるＭＴＵ値を取得し、取得したＭＴＵ値を移動局記憶手段１ｃに記憶させる。
【００１７】
このＭＴＵ値は、移動局１によって送信されるデータが伝送される通信ネットワーク上で１回の転送によって送信可能なデータサイズの最大値を示すＭＴＵを示す値である。このＭＴＵ値より大きい値でデータが送信された場合、送信されたデータはそのままのデータサイズで伝送されることはない。この場合、データが送信される通信ネットワークにおける伝送路上の通信機器により、データが破棄されるか、またはデータがフラグメンテーション（再分割）処理されて送信されることになる。
【００１８】
移動局送信手段１ｂは、データの送信先に対して移動局記憶手段１ｃによって記憶されているＭＴＵ値によって示されるデータサイズ以下でデータを送信する。
移動局取得手段１ａによって取得されたＭＴＵ値に基づき、移動局送信手段１ｂによって、データサイズがこのＭＴＵ値以下に設定されたデータが送信される。これにより、移動局１から送信されるデータは、通信ネットワーク上の伝送路において、フラグメンテーション処理およびデータ破棄が行われることなく送信される。
【００１９】
移動局記憶手段１ｃは、基地局通知手段２ｂによって通知され、移動局取得手段１ａによって取得されたＭＴＵ値を記憶する。このＭＴＵ値は、移動局１によって送信されるデータを伝送するネットワーク上の伝送路のＭＴＵ値である。
【００２０】
無線基地局装置２は、基地局取得手段２ａ、基地局通知手段２ｂおよび基地局記憶手段２ｃを有する。
基地局取得手段２ａは、移動局１から送信先に送信されるデータを伝送する伝送路の１回の転送で送信できるデータの最大値であるＭＴＵ値を取得し、取得したＭＴＵ値を基地局記憶手段２ｃに記憶させる。これにより、移動局１から送信されるデータのデータサイズの基準となるＭＴＵ値が取得される。
【００２１】
基地局通知手段２ｂは、移動局１に対して基地局記憶手段２ｃによって記憶されているＭＴＵ値を通知する。
基地局記憶手段２ｃは、移動局１から送信されるデータが伝送される伝送路のＭＴＵ値を記憶する。
【００２２】
このような移動通信システムによれば、無線基地局装置２が有する基地局記憶手段２ｃにより、移動局１から送信されるデータが伝送される伝送路のＭＴＵ値が記憶され、基地局取得手段２ａにより、伝送路のＭＴＵ値が取得され、取得されたＭＴＵ値が基地局記憶手段２ｃに記憶させられ、基地局通知手段２ｂにより、移動局１に対して基地局記憶手段２ｃによって記憶されているＭＴＵ値が通知される。移動局１が有する移動局記憶手段１ｃにより、基地局通知手段２ｂによって通知される伝送路のＭＴＵ値が記憶され、移動局取得手段１ａにより、基地局通知手段２ｂによって通知されるＭＴＵ値が取得され、取得されたＭＴＵ値が移動局記憶手段１ｃに記憶させられ、移動局送信手段１ｂにより、データの送信先に対して移動局記憶手段１ｃによって記憶されているＭＴＵ値によって示されるデータサイズ以下でデータが送信される。
【００２３】
これによって、伝送路のＭＴＵ値を取得して移動局に通知するので、伝送路を構成する装置の負荷の増加を抑えつつ、伝送路のＭＴＵ値に応じたデータサイズによって移動局側からデータを送信させることが可能になる。
【００２４】
以下、本実施の形態について図面を参照して詳細に説明する。
図２は、本実施の形態のシステム構成を示す図である。本実施の形態に係る移動通信システムは、移動局が無線基地局経由で他の移動局と通信を行うものである。この移動通信システムは、移動局１００ａ，１００ｂ、無線基地局装置２００ａ，２００ｂ，２００ｃ，２００ｄ、中継装置３００ａ，３００ｂおよびコアネットワーク４００を有する。
【００２５】
無線基地局装置２００ａ，２００ｂと中継装置３００ａ、無線基地局装置２００ｃ，２００ｄと中継装置３００ｂとは、それぞれ有線で接続されている。また、中継装置３００ａと中継装置３００ｂとは、それぞれ有線で接続されている。また、中継装置３００ａはコアネットワーク４００に接続されている。
【００２６】
移動局１００ａ，１００ｂは、無線基地局装置２００ａ，２００ｂ，２００ｃ，２００ｄと無線通信が可能な無線端末装置であり、ＵＥ（User Equipment）と呼ばれるものに相当する。この移動局１００ａ，１００ｂは、それぞれ図３において後述する移動局１００と同一の構成および機能を有する。
【００２７】
無線基地局装置２００ａ，２００ｂ，２００ｃ，２００ｄは、移動局１００ａ，１００ｂと無線通信を行う通信装置であり、ｅＮＢ（E-UTRAN NodeB）やＮｏｄｅ−Ｂと呼ばれるものに相当する。この無線基地局装置２００ａ，２００ｂ，２００ｃ，２００ｄは、それぞれ図３において後述する無線基地局装置２００と同一の構成および機能を有する。
【００２８】
無線基地局装置２００ａ，２００ｂは、移動局１００ａまたは移動局１００ｂから無線でデータを受信すると、受信データを中継装置３００ａに送信する。また、無線基地局装置２００ｃ，２００ｄは、移動局１００ａまたは移動局１００ｂから無線でデータを受信すると、受信データを中継装置３００ｂに送信する。中継装置３００ａと無線基地局装置２００ａ，２００ｂ、中継装置３００ｂと無線基地局装置２００ｃ，２００ｄは、それぞれＳ１−ＡＰ（S1-Application Protocol）によって接続されている。
【００２９】
また、無線基地局装置２００ａ，２００ｂ，２００ｃ，２００ｄは、互いに通信可能に接続されており、それぞれが記憶しているＭＴＵ値を互いに送受信することができる。これらは、互いにＸ２−ＡＰ（X2-Application Protocol）を用いて接続されている。
【００３０】
中継装置３００ａ，３００ｂは、管理下にある無線基地局装置を制御すると共に、データ転送を行う。中継装置３００ａ，３００ｂは、ＭＭＥ／Ｓ−ＧＷ（Mobility Management Entity/Serving GateWay）、ＲＮＣ（Radio Network Controller）、ＢＳＣ（Base Station Controller）などと呼ばれるものに相当する。この中継装置３００ａ，３００ｂは、それぞれ図３において後述する中継装置３００と同一の構成および機能を有する。
【００３１】
コアネットワーク４００は、中継装置３００ａ，３００ｂおよびその他の中継装置の間で伝送されるデータの中継を行うネットワークである。コアネットワーク４００内には、回線交換機４１０およびパケット交換機４２０が設けられている。
【００３２】
回線交換機４１０は、音声交換（ＣＳ：Circuit Switching）呼を処理する交換機である。パケット交換機４２０は、パケット交換（ＰＳ：Packet Switching）呼を処理する交換機である。回線交換機４１０およびパケット交換機４２０は、それぞれＣＳ呼およびＰＳ呼のトラフィックを制御する。
【００３３】
このような移動通信システムは、例えば３ＧＰＰ（Third Generation Partnership Project）で標準化されたＨＳＵＰＡ（High Speed Uplink Packet Access）機能を備えるＣＤＭＡ通信システムとして実現することができる。
【００３４】
なお、図２では、中継装置３００ａと中継装置３００ｂとは、コアネットワーク４００を経由せず直接接続するが、これに限らず、コアネットワーク４００経由で接続してもよい。
【００３５】
次に、本実施の形態の移動通信システムの機能について説明する。
図３は、本実施の形態の移動通信システムの構成を示すブロック図である。図３に示す移動通信システムは、無線基地局装置と移動局との間でデータの無線通信を行うことにより、移動局から送信先に無線基地局装置を通じてデータを送信する。この移動通信システムは、移動局１００、無線基地局装置２００、中継装置３００を有する。中継装置３００には、コアネットワーク４００が接続されている。このコアネットワーク４００を介して、移動局１００は、データの送信先（図示省略）と接続される。
【００３６】
この移動局１００から送信先までの伝送路において、無線通信におけるハンドオーバまたはその他の通信状況の変化などにより、伝送路のネットワーク構成が変化する場合がある。このネットワーク構成の変化が生じると、一般にはＭＴＵ値が変化する。
【００３７】
本実施の形態の移動通信システムは、伝送路のＭＴＵ値に合わせて移動局１００から送信されるデータのサイズを設定するために、以下の構成および機能を有する。
移動局１００は、移動局取得部１１０、移動局送信部１２０および移動局記憶部１３０を有する。
【００３８】
移動局取得部１１０は、基地局通知部２２０によって通知されるＭＴＵ値を取得し、取得したＭＴＵ値を移動局記憶部１３０に記憶させる。
このＭＴＵ値は、移動局１００によって送信されるデータが伝送される通信ネットワーク上で１回の転送によって送信可能なデータサイズの最大値を示すＭＴＵを示す値である。このＭＴＵ値より大きい値でデータが送信された場合、送信されたデータはそのままのデータサイズで伝送されることはない。この場合、データが送信される通信ネットワークにおける伝送路上の通信機器により、データが破棄されるか、またはデータがフラグメンテーション（再分割）処理されて送信されることになる。
【００３９】
移動局送信部１２０は、データの送信先に対して移動局記憶部１３０によって記憶されているＭＴＵ値によって示されるデータサイズ以下でデータを、伝送路１２を介して無線基地局装置２００に送信する。この移動局送信部１２０から送信されたデータは、伝送路１２、無線基地局装置２００、伝送路２３、中継装置３００、伝送路３４およびコアネットワーク４００を介して送信先に伝送される。
【００４０】
移動局取得部１１０によって取得されたＭＴＵ値に基づき、移動局送信部１２０によって、データサイズがこのＭＴＵ値以下に設定されたデータが送信される。これにより、移動局１００から送信されるデータは、通信ネットワーク上の伝送路において、フラグメンテーション処理およびデータ破棄が行われることなく送信される。
【００４１】
移動局記憶部１３０は、基地局通知部２２０によって通知され、移動局取得部１１０によって取得されたＭＴＵ値を記憶する。このＭＴＵ値は、移動局１００によって送信されるデータを伝送するネットワーク上の伝送路のＭＴＵ値である。
【００４２】
無線基地局装置２００は、ＩＣＭＰにおけるＰａｔｈ  ＭＴＵをサポートしているものとする。無線基地局装置２００は、伝送路のＭＴＵ値を、ＩＣＭＰを利用した経路ＭＴＵ探索（Path MTU discovery）で求める。
【００４３】
また、無線基地局装置２００は、基地局取得部２１０、基地局通知部２２０および基地局記憶部２３０を有する。
基地局取得部２１０は、移動局１００から送信先に送信されるデータを伝送する伝送路１２のＭＴＵ値を取得し、取得したＭＴＵ値を基地局記憶部２３０に記憶させる。これにより、移動局１００から送信されるデータのデータサイズの基準となるＭＴＵ値が取得される。
【００４４】
また、基地局取得部２１０は、中継装置通知部３２０によって通知されたＭＴＵ値を取得し、取得したＭＴＵ値を基地局記憶部２３０に記憶させる。
また、基地局取得部２１０は、移動局１００においてハンドオーバが行われる場合には、移動局１００のハンドオーバ後に接続される無線基地局装置である移動先無線基地局装置（図示省略）の送信先側の伝送路２３（移動先無線基地局装置から中継装置３００に至るまでの伝送路）のＭＴＵ値を取得し、取得したＭＴＵ値を基地局記憶部２３０に記憶させる。本実施の形態におけるハンドオーバ時の移動通信システムの処理については、詳しくは図１１および図１２において後述する。
【００４５】
また、基地局取得部２１０は、無線基地局装置２００が動作を開始する場合には、中継装置通知部３２０から通知されたＭＴＵ値を取得し、取得したＭＴＵ値を基地局記憶部２３０に記憶させる。
【００４６】
また、基地局取得部２１０は、所定の時間間隔毎に、伝送路のＭＴＵ値を取得し、取得したＭＴＵ値によって基地局記憶部２３０に記憶させたＭＴＵ値を更新させる。このように、無線基地局装置２００における経路ＭＴＵ探索は、移動局１００のデータ通信の開始とは無関係に実行される。
【００４７】
基地局通知部２２０は、移動局１００に対して基地局記憶部２３０によって記憶されているＭＴＵ値を通知する。
また、基地局通知部２２０は、移動先無線基地局装置から取得されたＭＴＵ値が基地局記憶部２３０に記憶されると、基地局記憶部２３０に記憶されている移動先無線基地局装置から取得されたＭＴＵ値を移動局１００に通知する。
【００４８】
基地局通知部２２０は、移動局１００においてデータ伝送を行うための呼の接続が開始された場合に、移動局１００に対して基地局記憶部２３０によって記憶されているＭＴＵ値を通知する。
【００４９】
基地局通知部２２０は、移動局１００における呼の接続に用いられるメッセージに基地局記憶部２３０によって記憶されているＭＴＵ値を含める。次に、基地局通知部２２０は、ＭＴＵ値を含めたメッセージを移動局１００に対して送信することによって、移動局１００に対して基地局記憶部２３０によって記憶されているＭＴＵ値を通知する。
【００５０】
基地局記憶部２３０は、移動局１００から送信されるデータが伝送される伝送路１２のＭＴＵ値を記憶する。
中継装置３００は、中継装置取得部３１０、中継装置通知部３２０および中継装置記憶部３３０を有する。
【００５１】
中継装置取得部３１０は、所定の時間間隔毎に、移動局１００によるデータの送信先側の伝送路である送信先側伝送路（中継装置取得部３１０から伝送路３４およびコアネットワーク４００を介して送信先に至るまでの伝送路）のＭＴＵ値を取得する。ここで、中継装置３００は、無線基地局装置２００と同様に、伝送路のＭＴＵ値を、ＩＣＭＰを利用した経路ＭＴＵ探索で求める。その後、中継装置取得部３１０は、取得したＭＴＵ値に基づいて中継装置記憶部３３０に記憶させたＭＴＵ値を更新させる。これにより、中継装置記憶部３３０に記憶されているＭＴＵ値は、データを伝送する通信ネットワークのトポロジーの変化に対して一定時間ごとに最新の状態に更新される。また、このように中継装置３００における経路ＭＴＵ探索は、移動局１００のデータ通信の開始とは無関係に実行される。
【００５２】
中継装置通知部３２０は、無線基地局装置２００が有する基地局取得部２１０に対して中継装置記憶部３３０に記憶されているＭＴＵ値を通知する。
中継装置通知部３２０は、無線基地局装置２００が動作を開始する場合に、中継装置記憶部３３０に記憶されているＭＴＵ値を無線基地局装置２００が有する基地局取得部２１０に対して通知する。
【００５３】
中継装置通知部３２０は、移動局１００における呼の接続に用いられるメッセージに、中継装置記憶部３３０によって記憶されているＭＴＵ値を含める。次に、中継装置通知部３２０は、ＭＴＵ値を含めたメッセージを移動局１００に対して送信することによって、無線基地局装置２００に対して中継装置記憶部３３０によって記憶されているＭＴＵ値を通知する。
【００５４】
中継装置記憶部３３０は、送信先側伝送路のＭＴＵ値を記憶する。
次に、移動通信システムの動作について説明する。
図４は、移動通信システムの動作を示すブロック図である。図４に示す移動通信システムは、本実施の形態の移動局１００がコアネットワーク４００に接続されている送信先（図示省略）との間でデータ通信を行うための通信システムである。ここでは、例えば、移動局１００が無線基地局装置２００ａ、中継装置３００およびコアネットワーク４００を介して図示しない送信先と接続される場合に基づいて、移動局１００による、送信先に対して送信されるデータサイズの設定に用いられるＭＴＵ値の取得について説明する。
【００５５】
本実施の形態の中継装置３００は、コアネットワーク４００と中継装置３００とを接続する伝送路３４およびコアネットワーク４００を含む伝送路のＭＴＵ値４３４ａを、伝送路から取得する。取得したＭＴＵ値４３４ａは、中継装置３００内に記憶される。この中継装置３００に記憶されているＭＴＵ値は、一定時間ごとに取得されて更新される。また、中継装置３００は、伝送路２３ａ，２３ｂ，２３ｃを通じて、最新のＭＴＵ値３０２ａを無線基地局装置２００ａ，２００ｂ，２００ｃに通知する。
【００５６】
無線基地局装置２００ａ，２００ｂ，２００ｃは、中継装置３００から通知されたＭＴＵ値３０２ａを受信して取得する。
また、無線基地局装置２００ａは、中継装置３００と接続する伝送路２３ａのＭＴＵ値２２３ａを経路ＭＴＵ探索により取得する。同様に、無線基地局装置２００ｂは、中継装置３００と接続する伝送路２３ｂのＭＴＵ値２２３ｂを取得し、無線基地局装置２００ｃは、中継装置３００と接続する伝送路２３ｃのＭＴＵ値２２３ｃを取得する。
【００５７】
また、無線基地局装置２００ａは、中継装置３００から通知されたＭＴＵ値３０２ａと、無線基地局装置２００ａが自ら取得した伝送路２３ａのＭＴＵ値２２３ａとを比較して、小さい方のＭＴＵ値を記憶する。
【００５８】
具体的には、無線基地局装置２００ａは、中継装置３００からＭＴＵ値３０２ａが通知されると、記憶しているＭＴＵ値と中継装置３００から通知されて取得したＭＴＵ値３０２ａとを比較して、記憶しているＭＴＵ値が大きければ、記憶しているＭＴＵ値を通知されたＭＴＵ値３０２ａに更新する。一方、記憶しているＭＴＵ値と通知されたＭＴＵ値３０２ａとを比較して、記憶しているＭＴＵ値が小さいか、記憶しているＭＴＵ値と通知されたＭＴＵ値３０２ａとが等しければ、記憶しているＭＴＵ値を更新しない。
【００５９】
また、無線基地局装置２００ａが伝送路２３ａのＭＴＵ値２２３ａを取得すると、記憶しているＭＴＵ値と伝送路２３ａから取得したＭＴＵ値２２３ａとを比較して、記憶しているＭＴＵ値が大きければ、記憶しているＭＴＵ値を取得したＭＴＵ値２２３ａに更新する。一方、記憶しているＭＴＵ値と取得したＭＴＵ値２２３ａとを比較して、記憶しているＭＴＵ値が小さいか、記憶しているＭＴＵ値と取得したＭＴＵ値２２３ａとが等しければ、記憶しているＭＴＵ値を更新しない。
【００６０】
なお、無線基地局装置２００ａは、伝送路２３ａのＭＴＵ値２２３ａを自ら取得した場合には、ＭＴＵ値の比較を行うことなく、取得したＭＴＵ値２２３ａで更新してもよい。また、無線基地局装置２００ａは、中継装置３００からＭＴＵ値３０２ａが通知された場合には、ＭＴＵ値の比較を行うことなく、通知されて取得したＭＴＵ値３０２ａで更新してもよい。これらにより、記憶されているＭＴＵ値が、それぞれ伝送路２３ａから実際に取得したＭＴＵ値２２３ａ、中継装置３００から通知されたＭＴＵ値３０２ａによってリセットされるので、ＭＴＵ値が次第に小さく収束してしまい、伝送路の実際のＭＴＵ値が大きくなっているにもかかわらず、それが送信されるデータサイズに反映されないことを防止できる。
【００６１】
また、以上のＭＴＵ値の更新については、無線基地局装置２００ｂ，２００ｃも同様に動作する。
無線基地局装置２００ａは、移動局１００による着信または発信の開始に基づいて、記憶しているＭＴＵ値２０１ａを移動局１００に通知する。移動局１００は、送信先との間で通信が確立すると、送信先とデータ通信を行う。このとき、移動局１００から送信先に送信されるデータ１０１ａは、無線基地局装置２００ａから通知されたＭＴＵ値２０１ａに基づいて決定されたデータサイズ（例えば、通知されたＭＴＵ値以下）によって無線基地局装置２００ａに送信される。その後、データ１０１ａは、無線基地局装置２００ａからデータ１０１ｂとして中継装置３００に送信され、中継装置３００から送信先までデータ１０１ｃとして送信される。
【００６２】
このとき、これらのデータ１０１ａ，１０１ｂ，１０１ｃのデータサイズは、ネットワークの状態が変化していなければ、伝送路２３ａから送信先までの伝送路におけるＭＴＵ値を超えないので、フラグメンテーション処理および破棄が行われることなく送信先まで送信される。
【００６３】
このようにして、移動局１００は、取得したデータの伝送路のＭＴＵ値に基づいて、伝送路でフラグメンテーション処理または破棄が行われずに送信されるデータサイズでデータを送信する。
【００６４】
また、無線基地局装置２００ａ，２００ｂ，２００ｃは、図２に示したように、互いに通信可能に接続されており、記憶しているＭＴＵ値を互いに送受信することができる。これにより、移動局１００でハンドオーバが発生し、移動局１００の接続先が無線基地局装置２００ａから無線基地局装置２００ｂに切り替わる場合、移動局１００のハンドオーバにおける移動元の無線基地局装置（例えば、無線基地局装置２００ａ）は、上記の通信により移動先（例えば、無線基地局装置２００ｂ）のＭＴＵ値を取得して、取得したＭＴＵ値をハンドオーバが発生した移動局１００に通知する。通知を受けた移動局１００は、通知されたＭＴＵ値に基づいたデータサイズでデータを送信する。
【００６５】
これにより、移動局１００は、ハンドオーバの発生時にも、移動元の無線基地局装置２００ａから、移動先の無線基地局装置２００ｂを介した伝送路のＭＴＵ値を取得して、取得したＭＴＵ値に基づいて移動先の無線基地局装置２００ｂを介してデータを送信する。
【００６６】
このように、移動局１００は、ハンドオーバの発生後には、取得した移動先の無線基地局装置２００ｂのＭＴＵ値に基づいて、伝送路でフラグメンテーション処理または破棄が行われずに送信されるデータサイズでデータを送信することで、伝送路でフラグメンテーション処理または破棄が行われることなくデータを送信することができる。
【００６７】
図５は、Ｓ１−ＡＰメッセージのプロトコルスタックを示す図である。本実施の形態では、移動局１００、無線基地局装置２００、中継装置３００が、図に示すプロトコルスタックに基づいて順に接続されている。
【００６８】
移動局１００のプロトコルスタックは、例えば下位から上位へ向かって、ＰＨＹ（物理層）、ＭＡＣ（Media Access Control）、ＲＬＣ（Radio Link Control）、ＰＤＣＰ（Packet Data Convergence. Protocol）、ＲＲＣ（Radio Resource Control）、ＮＡＳ（Non Access Stratum）となっている。
【００６９】
無線基地局装置２００の移動局１００側のプロトコルスタックは、例えば下位から上位へ向かって、ＰＨＹ、ＭＡＣ、ＲＬＣ、ＰＤＣＰ、ＲＲＣとなっている。
また、無線基地局装置２００の中継装置３００側のプロトコルスタックは、下位から上位へ向かって、ＰＨＹ、ＭＡＣ、ＩＰ（Internet Protocol）、ＳＣＴＰ（Stream Control Transmission Protocol）、Ｓ１−ＡＰとなっている。
【００７０】
中継装置３００の無線基地局装置２００側のプロトコルスタックは、例えば下位から上位へ向かって、ＰＨＹ、ＭＡＣ、ＩＰ、ＳＣＴＰ、Ｓ１−ＡＰ、ＮＡＳとなっている。
次に、本実施の形態の移動通信システムにおける処理の手順について説明する。
【００７１】
まず、本実施の形態の移動通信システムにおいて、移動局１００との間で発信または着信を開始する時の処理について説明する。
図６および図７は、呼接続からデータ転送までの処理の手順を示すシーケンス図である。
【００７２】
３ＧＰＰ  ＬＴＥ（Long Term Evolution）で定義される移動通信システムでは、発信または着信を開始する移動局１００との呼を接続するために、Ｓ１−ＡＰメッセージ（S1 UE context setup request）が、中継装置３００から無線基地局装置２００に向けて送信される。中継装置３００により、このＳ１−ＡＰメッセージに中継装置３００が記憶しているＭＴＵ値を含めて無線基地局装置２００に送信されることによって、中継装置３００から無線基地局装置２００に対してＭＴＵ値が通知される。
【００７３】
また、このＳ１−ＡＰメッセージ（S1 UE context setup request）を受信した無線基地局装置２００から発信または着信を開始する移動局１００に向けて、ＲＲＣメッセージ（SAE radio bearer setup）が送信される。無線基地局装置２００により、このＲＲＣメッセージに無線基地局装置２００が記憶しているＭＴＵ値が含められて移動局１００に送信されることによって、無線基地局装置２００から移動局１００に対してＭＴＵ値が通知される。
【００７４】
以下に、このときの処理の手順を図に従って説明する。
［ステップＳ１１１］中継装置３００は、コアネットワーク４００側の伝送路のＭＴＵ探索を行う。このＭＴＵ探索については、詳しくは後述する。
【００７５】
［ステップＳ１１２］中継装置３００は、コアネットワーク４００側の伝送路の応答から、ステップＳ１１１におけるＭＴＵ探索の結果得られたコアネットワーク４００側の伝送路の最小のＭＴＵ値を取得する。
【００７６】
中継装置３００は、経路ＭＴＵ探索の実行によってネットワークの負荷が増加して伝送効率が低下することを防止するために、端末のデータ通信開始とは無関係に、一定の時間間隔ごとにコアネットワーク４００までの伝送路のＭＴＵ探索を行い、中継装置記憶部３３０にコアネットワーク４００までの伝送路における最小のＭＴＵ値を記憶させる。
【００７７】
この際、既にこの中継装置３００が記憶していたＭＴＵ値は、ここで新たに調べたＭＴＵ値に更新することにより、トポロジー変更によるＭＴＵ値の変化に対応することができる。ＭＴＵ探索は、例えばＩＣＭＰを利用した方法（経路ＭＴＵ探索）で求めることができる。
【００７８】
経路ＭＴＵ探索は、具体的には以下のようにして行われる。送信側（例えば、中継装置３００）は、分割禁止に設定した十分大きいサイズのＩＣＭＰパケットを送信先（例えば、コアネットワーク４００）に送信する。この送信したＩＣＭＰパケットのサイズが伝送路における各ＭＴＵのうちの最小値より大きい場合には、伝送路を構成する機器からエラーメッセージが応答される。
【００７９】
このエラーメッセージを受信した送信側は、ＩＣＭＰパケットのサイズを小さくしながらパケットを送信することを繰り返す。送信先からＩＣＭＰパケットに対する応答があった場合には、そのときのＩＣＭＰパケットのサイズが、伝送路における最適なＭＴＵであることになる。
【００８０】
［ステップＳ１１３］中継装置３００は、ステップＳ１１２で取得したＭＴＵ値を、コアネットワーク４００側のＭＴＵ値として中継装置記憶部３３０に記憶させる。なお、以前にコアネットワーク４００側のＭＴＵ値を記憶していた場合には、中継装置３００は、これを今回取得したＭＴＵ値で更新する。
【００８１】
本実施の形態の中継装置３００は、上記のステップＳ１１１からステップＳ１１３の処理を一定間隔ごと（例えば、１０分ごと）に繰り返し実行する。これにより、中継装置３００におけるコアネットワーク４００側のＭＴＵ値が一定間隔ごとに更新されるので、コアネットワーク４００側の伝送路のネットワークのトポロジーの変化にも対応することができる。
【００８２】
［ステップＳ１１４］無線基地局装置２００は、同様に、中継装置３００側の伝送路のＭＴＵ探索を行う。
［ステップＳ１１５］無線基地局装置２００は、同様に、中継装置３００側の伝送路の応答から、ステップＳ１１４におけるＭＴＵ探索の結果得られた中継装置３００側の伝送路の最小のＭＴＵ値を取得する。
【００８３】
本実施の形態の無線基地局装置２００は、中継装置３００と同様に、ＭＴＵ探索の実行によってネットワークの負荷が増加して伝送効率が低下することを防止するために、端末のデータ通信開始とは無関係に、一定の時間間隔ごとに中継装置３００までの伝送路のＭＴＵ探索を行い、基地局記憶部２３０に中継装置３００までの伝送路における最小のＭＴＵ値を記憶させる。
【００８４】
［ステップＳ１１６］無線基地局装置２００は、ステップＳ１１５で取得したＭＴＵ値を、中継装置３００側のＭＴＵ値として基地局記憶部２３０に記憶させる。なお、以前に中継装置３００側のＭＴＵ値を記憶していた場合には、中継装置３００は、これを今回取得したＭＴＵ値で更新する。
【００８５】
本実施の形態の無線基地局装置２００は、中継装置３００と同様、上記のステップＳ１１４からステップＳ１１６の処理を一定間隔ごと（例えば、１０分ごと）に繰り返し実行する。これにより、無線基地局装置２００における中継装置３００側のＭＴＵ値が一定間隔ごとに更新されるので、中継装置３００側の伝送路のネットワークのトポロジーの変化にも対応することができる。
【００８６】
次に、無線基地局装置２００および中継装置３００のそれぞれに、上記のように取得されたＭＴＵ値が記憶されている状態において、移動局１００において発信または着信が開始された場合に実行される処理を説明する。
【００８７】
［ステップＳ１２１］中継装置３００は、移動局１００において発信または着信が開始されると、移動局１００と接続される無線基地局装置２００に対して、ステップＳ１１３（図６参照）で記憶したＭＴＵ値を通知する。この通知は、上記のようにＳ１−ＡＰメッセージに含められて送信される。
【００８８】
［ステップＳ１２２］無線基地局装置２００は、ステップＳ１２１で中継装置３００から送信されたＳ１−ＡＰメッセージを受信すると、受信したＳ１−ＡＰメッセージに含まれているＭＴＵ値を抽出する。次に、無線基地局装置２００は、Ｓ１−ＡＰメッセージから抽出したＭＴＵ値を、ステップＳ１１６（図６参照）で基地局記憶部２３０に記憶されているＭＴＵ値と比較する。
【００８９】
［ステップＳ１２３］無線基地局装置２００は、ステップＳ１２２におけるＭＴＵ値の比較の結果、通知されたＭＴＵ値の方が小さければ、通知されたＭＴＵ値によって基地局記憶部２３０に記憶されているＭＴＵ値を更新する。一方、通知されたＭＴＵ値と基地局記憶部２３０に記憶されているＭＴＵ値とが等しいか、または基地局記憶部２３０に記憶されているＭＴＵ値の方が小さければ、無線基地局装置２００は、ＭＴＵ値を更新しない。
【００９０】
［ステップＳ１２４］無線基地局装置２００は、移動局１００に対して基地局記憶部２３０に記憶されているＭＴＵ値を通知する。この通知は、上記のようにＲＲＣメッセージに含められて送信される。
【００９１】
［ステップＳ１２５］移動局１００は、ステップＳ１２４で無線基地局装置２００から送信されたＲＲＣメッセージを受信すると、受信したＲＲＣメッセージに含まれているＭＴＵ値を抽出することにより、無線基地局装置２００側のＭＴＵ値を取得する。
【００９２】
その後、移動局１００は、ステップＳ１２５で取得したＭＴＵ値を用いてデータ通信を開始する。取得したＭＴＵ値を用いた移動局１００によるデータの送信について以下に説明する。
【００９３】
［ステップＳ１２６］移動局１００は、ステップＳ１２５で取得したＭＴＵ値に基づいて、データサイズがＭＴＵ値（またはＭＴＵ値以下）のパケットをユーザデータから生成する。
【００９４】
［ステップＳ１２７］移動局１００は、ステップＳ１２６でユーザデータから生成したパケットを無線基地局装置２００および中継装置３００を介してコアネットワーク４００に送信する。ここで送信されるパケットは、データサイズが伝送路のＭＴＵ値以下であるため、フラグメンテーション処理が実行されることなく伝送される。
【００９５】
次に、本実施の形態の移動通信システムにおいて、移動局が複数（例えば、移動局１００ａ、移動局１００ｂの２つ）存在する場合における、移動局の発信または着信が開始する時の処理について説明する。
【００９６】
図８から図１０は、移動局が複数存在する場合の呼接続からデータ転送までの処理の手順を示すシーケンス図である。
以下に、このときの処理の手順を図に従って説明する。
【００９７】
［ステップＳ２１１］中継装置３００は、コアネットワーク４００側の伝送路のＭＴＵ探索を行う。
［ステップＳ２１２］中継装置３００は、コアネットワーク４００側の伝送路の応答から、ステップＳ２１１におけるＭＴＵ探索の結果得られたコアネットワーク４００側の伝送路の最小のＭＴＵ値を取得する。
【００９８】
［ステップＳ２１３］中継装置３００は、ステップＳ２１２で取得したＭＴＵ値を、コアネットワーク４００側のＭＴＵ値として中継装置記憶部３３０に記憶させる。なお、以前にコアネットワーク４００側のＭＴＵ値が記憶されていた場合には、中継装置３００は、これを今回取得したＭＴＵ値で更新する。
【００９９】
本実施の形態の中継装置３００は、上記のステップＳ２１１からステップＳ２１３の処理を一定間隔ごと（例えば、１０分ごと）に繰り返し実行する。
［ステップＳ２１４］無線基地局装置２００は、同様に、中継装置３００側の伝送路のＭＴＵ探索を行う。
【０１００】
［ステップＳ２１５］無線基地局装置２００は、同様に、中継装置３００側の伝送路の応答から、ステップＳ２１４におけるＭＴＵ探索の結果得られた中継装置３００側の伝送路の最小のＭＴＵ値を取得する。
【０１０１】
［ステップＳ２１６］無線基地局装置２００は、ステップＳ２１５で取得したＭＴＵ値を、中継装置３００側のＭＴＵ値として基地局記憶部２３０に記憶させる。なお、以前に中継装置３００側のＭＴＵ値が記憶されていた場合には、中継装置３００は、これを今回取得したＭＴＵ値で更新する。
【０１０２】
次に、無線基地局装置２００および中継装置３００のそれぞれに、上記のように取得されたＭＴＵ値が記憶されている状態において、移動局１００ａ、移動局１００ｂにおいて発信または着信が開始された場合に実行される処理を説明する。
【０１０３】
［ステップＳ２２１］中継装置３００は、移動局１００ａ（移動局Ａ）において発信または着信が開始されると、移動局１００ａと接続される無線基地局装置２００に対して、ステップＳ２１３（図８参照）で記憶したＭＴＵ値を通知する。この通知は、上記のようにＳ１−ＡＰメッセージに含められて送信される。
【０１０４】
［ステップＳ２２２］無線基地局装置２００は、ステップＳ２２１で中継装置３００から送信されたＳ１−ＡＰメッセージを受信すると、受信したＳ１−ＡＰメッセージに含まれているＭＴＵ値を抽出する。次に、無線基地局装置２００は、Ｓ１−ＡＰメッセージから抽出したＭＴＵ値を、ステップＳ２１６（図８参照）で基地局記憶部２３０に記憶されているＭＴＵ値と比較する。
【０１０５】
［ステップＳ２２３］無線基地局装置２００は、ステップＳ２２２におけるＭＴＵ値の比較の結果、通知されたＭＴＵ値の方が小さければ、通知されたＭＴＵ値によって基地局記憶部２３０に記憶されているＭＴＵ値を更新する。一方、通知されたＭＴＵ値と基地局記憶部２３０に記憶されているＭＴＵ値とが等しいか、または基地局記憶部２３０に記憶されているＭＴＵ値の方が小さければ、無線基地局装置２００は、ＭＴＵ値を更新しない。
【０１０６】
［ステップＳ２２４］無線基地局装置２００は、移動局１００ａに対して基地局記憶部２３０に記憶されているＭＴＵ値を通知する。この通知は、上記のようにＲＲＣメッセージに含められて送信される。
【０１０７】
［ステップＳ２２５］移動局１００ａは、ステップＳ２２４で無線基地局装置２００から送信されたＲＲＣメッセージを受信すると、受信したＲＲＣメッセージに含まれているＭＴＵ値を抽出することにより、無線基地局装置２００側のＭＴＵ値を取得する。
【０１０８】
移動局１００ａは、ステップＳ２２５で取得したＭＴＵ値を用いてデータ通信を開始する。取得したＭＴＵ値を用いた移動局１００ａによるデータの送信について以下に説明する。
【０１０９】
［ステップＳ２２６］移動局１００ａは、ステップＳ２２５で取得したＭＴＵ値に基づいて、データサイズがＭＴＵ値（またはＭＴＵ値以下）のパケットをユーザデータから生成する。
【０１１０】
［ステップＳ２２７］移動局１００ａは、ステップＳ２２６でユーザデータから生成したパケットを無線基地局装置２００および中継装置３００を介してコアネットワーク４００に送信する。ここで送信されるパケットは、データサイズが伝送路のＭＴＵ値以下であるため、フラグメンテーション処理が実行されることなく伝送される。
【０１１１】
［ステップＳ２３１］中継装置３００は、移動局１００ｂ（移動局Ｂ）において発信または着信が開始されると、移動局１００ｂと接続される無線基地局装置２００に対して、ステップＳ２１３（図８参照）で記憶したＭＴＵ値を通知する。この通知は、上記のようにＳ１−ＡＰメッセージに含められて送信される。
【０１１２】
［ステップＳ２３２］無線基地局装置２００は、ステップＳ２３１で中継装置３００から送信されたＳ１−ＡＰメッセージを受信すると、受信したＳ１−ＡＰメッセージに含まれているＭＴＵ値を抽出する。次に、無線基地局装置２００は、Ｓ１−ＡＰメッセージから抽出したＭＴＵ値を、ステップＳ２１６（図８参照）で基地局記憶部２３０に記憶されているＭＴＵ値と比較する。
【０１１３】
［ステップＳ２３３］無線基地局装置２００は、ステップＳ２３２におけるＭＴＵ値の比較の結果、通知されたＭＴＵ値の方が小さければ、通知されたＭＴＵ値によって基地局記憶部２３０に記憶されているＭＴＵ値を更新する。一方、通知されたＭＴＵ値と基地局記憶部２３０に記憶されているＭＴＵ値とが等しいか、または基地局記憶部２３０に記憶されているＭＴＵ値の方が小さければ、無線基地局装置２００は、ＭＴＵ値を更新しない。
【０１１４】
［ステップＳ２３４］無線基地局装置２００は、移動局１００ｂに対して基地局記憶部２３０に記憶されているＭＴＵ値を通知する。この通知は、上記のようにＲＲＣメッセージに含められて送信される。
【０１１５】
［ステップＳ２３５］移動局１００ｂは、ステップＳ２３４で無線基地局装置２００から送信されたＲＲＣメッセージを受信すると、受信したＲＲＣメッセージに含まれているＭＴＵ値を抽出することにより、ＭＴＵ値を取得する。
【０１１６】
移動局１００ｂは、ステップＳ２３５で取得したＭＴＵ値を用いてデータ通信を開始する。取得したＭＴＵ値を用いた移動局１００ｂによるデータの送信について以下に説明する。
【０１１７】
［ステップＳ２３６］移動局１００ｂは、ステップＳ２３５で取得したＭＴＵ値に基づいて、データサイズがＭＴＵ値（またはＭＴＵ値以下）のパケットをユーザデータから生成する。
【０１１８】
［ステップＳ２３７］移動局１００ｂは、ステップＳ２３６でユーザデータから生成したパケットを無線基地局装置２００および中継装置３００を介してコアネットワーク４００に送信する。ここで送信されるパケットは、データサイズが伝送路のＭＴＵ値以下であるため、フラグメンテーション処理が実行されることなく伝送される。
【０１１９】
このように、本実施の形態の移動通信システムでは、無線基地局装置２００および中継装置３００はＭＴＵ探索を一定間隔でそれぞれ単独に行うのみである。従って、複数の移動局で発信または着信が開始された場合にも、移動局の発信または着信の開始に付随したＭＴＵ探索は行われない。移動局において発信または着信の開始が行われた場合には、中継装置３００からはＳ１−ＡＰメッセージに含められて、無線基地局装置２００からはＲＲＣメッセージに含められて、それぞれ記憶しているＭＴＵ値が送信される。これにより、複数の移動局による発信または着信の開始が同時または連続して複数発生しても、その都度ＭＴＵ探索を行う必要がないので、多数のＭＴＵ探索が行われることによる伝送路の負荷の増加を防止しつつ、発信または着信を開始した移動局にＭＴＵ値を通知することができる。
【０１２０】
次に、本実施の形態の移動通信システムで移動局１００が無線基地局装置２００ａに接続されている状態からハンドオーバにより無線基地局装置２００ｂに接続されている状態に移行する場合の処理について説明する。
【０１２１】
図１１は、Ｘ２−ＡＰメッセージのプロトコルスタックを示す図である。本実施の形態では、ハンドオーバ時には、移動局１００、無線基地局装置２００ａ、無線基地局装置２００ｂが、図に示すプロトコルスタックに基づいて接続される。
【０１２２】
移動局１００のプロトコルスタックは、下位から上位へ向かって、ＰＨＹ、ＭＡＣ、ＲＬＣ、ＰＤＣＰ、ＲＲＣとなっている。
ハンドオーバの移動元の無線基地局装置２００ａの移動局１００側のプロトコルスタックは、図５と同様に、下位から上位へ向かって、ＰＨＹ、ＭＡＣ、ＲＬＣ、ＰＤＣＰ、ＲＲＣとなっている。
【０１２３】
また、無線基地局装置２００ａのハンドオーバの移動先の無線基地局装置２００ｂ側のプロトコルスタックは、下位から上位へ向かって、ＰＨＹ、ＭＡＣ、ＩＰ、ＳＣＴＰ、Ｘ２−ＡＰとなっている。
【０１２４】
無線基地局装置２００ｂの無線基地局装置２００ａ側のプロトコルスタックは、下位から上位へ向かって、ＰＨＹ、ＭＡＣ、ＩＰ、ＳＣＴＰ、Ｘ２−ＡＰとなっている。
次に、本実施の形態の移動通信システムにおけるハンドオーバ時の処理の手順について説明する。
【０１２５】
図１２は、ハンドオーバ時の手順を示すシーケンス図である。
ここで、移動通信システムにおいて移動局の移動によりハンドオーバが発生した場合について考える。このとき、移動元の無線基地局装置から移動先の無線基地局装置にハンドオーバする際に、移動元の伝送路のＭＴＵ値と移動先の伝送路のＭＴＵ値とは一般に異なる。このため、移動元の伝送路におけるＭＴＵ値でデータを送信した場合、移動先の伝送路のＭＴＵ値の方が移動元の伝送路のＭＴＵ値より小さい場合には、移動先の伝送路において移動局から送信されたデータのフラグメンテーション処理が発生し、伝送路の伝送効率が低下する可能性がある。また、移動先の伝送路のＭＴＵ値の方が移動元の伝送路のＭＴＵ値より大きい場合には、ＭＴＵ値が必要以上に小さ過ぎることにより、やはり伝送効率が低下する可能性がある。
【０１２６】
ＬＴＥシステムにおける無線基地局装置間のハンドオーバでは、移動元無線基地局装置がＸ２−ＡＰメッセージ（Handover Request）によって、移動先無線基地局装置に対してハンドオーバの開始を通知する。
【０１２７】
本実施の形態の移動通信システムでは、移動先の無線基地局装置である無線基地局装置２００ｂが、移動元の無線基地局装置である無線基地局装置２００ａから送信されたこのＸ２−ＡＰメッセージ（Handover Request）を受信すると、無線基地局装置２００ａに対する応答として送信するＸ２−ＡＰメッセージ（Handover request Ack）を利用して、無線基地局装置２００ｂ側のＭＴＵ値を無線基地局装置２００ａに通知する。
【０１２８】
無線基地局装置２００ｂから送信されたＸ２−ＡＰメッセージ（Handover request Ack）を受信した無線基地局装置２００ａは、無線基地局装置２００ｂ側の接続情報を得るとともに、Ｘ２−ＡＰメッセージ（Handover request Ack）内に含まれている無線基地局装置２００ｂ側のＭＴＵ値を抽出する。無線基地局装置２００ａは、抽出したＭＴＵ値を、ＲＲＣメッセージ（Handover command）に含めて、ハンドオーバを行う移動局１００に対して通知する。
【０１２９】
移動局１００は、受信したハンドオーバ指示から抽出したＭＴＵ値に従って、送信すべきパケットサイズを調整して移動先の無線基地局装置２００ｂにパケットを送信する。これにより、ユーザデータが無線基地局装置２００ｂを経由する伝送路でユーザデータが伝送される。
【０１３０】
本実施の形態の移動通信システムにおいて、移動局１００のユーザにより移動元の無線基地局装置２００ａデータ通信が行われている状態においてハンドオーバが発生した時の処理について、図に従って説明する。
【０１３１】
［ステップＳ３１１］移動局１００は、移動元の無線基地局装置２００ａ、中継装置３００およびコアネットワーク４００を介して、送信先にパケットを送信することにより、ユーザデータのデータ伝送を行っている。ここで送信されるパケットは、データサイズが無線基地局装置２００ａを経由する伝送路のＭＴＵ値以下であるため、無線基地局装置２００ａを経由する伝送路ではフラグメンテーション処理が実行されることなく伝送される。
【０１３２】
［ステップＳ３１２］移動局１００は、ハンドオーバ測定報告通知を送信する。
［ステップＳ３１３］移動元である無線基地局装置２００ａは、ステップＳ３１２において移動局１００から送信されたハンドオーバ測定報告通知を受信すると、ハンドオーバを行うか否かを判定するハンドオーバ判定を実行する。
【０１３３】
［ステップＳ３１４］無線基地局装置２００ａは、ステップＳ３１３におけるハンドオーバ判定においてハンドオーバを実行すると判定した場合には、ハンドオーバを開始する。
【０１３４】
［ステップＳ３１５］無線基地局装置２００ａは、移動先である無線基地局装置２００ｂに対して、ハンドオーバ要求を送信する。このハンドオーバ要求には、上記のＸ２−ＡＰメッセージ（Handover request Ack）が用いられる。
【０１３５】
［ステップＳ３１６］無線基地局装置２００ｂは、無線基地局装置２００ａから送信されたハンドオーバ要求を受信すると、無線基地局装置２００ａに対して、ハンドオーバ応答を送信する。このハンドオーバ応答には、上記のＸ２−ＡＰメッセージ（Handover request Ack）が用いられる。またハンドオーバ応答には、無線基地局装置２００ｂの中継装置３００側のＭＴＵ値が含まれている。
【０１３６】
［ステップＳ３１７］無線基地局装置２００ａは、ステップＳ３１６で無線基地局装置２００ｂから送信されたハンドオーバ応答を受信すると、受信したハンドオーバ応答に含まれているＭＴＵ値を抽出することにより、無線基地局装置２００ｂの中継装置３００側のＭＴＵ値を取得する。
【０１３７】
［ステップＳ３１８］無線基地局装置２００ａは、移動局１００に対して、ハンドオーバ指示を送信する。このハンドオーバ指示には、上記のＲＲＣメッセージ（Handover command）が用いられる。また、ハンドオーバ指示には、ステップＳ３１７で取得したＭＴＵ値が含まれている。
【０１３８】
［ステップＳ３１９］移動局１００は、ステップＳ３１８で無線基地局装置２００ａから送信されたハンドオーバ指示を受信すると、受信したハンドオーバ指示に含まれているＭＴＵ値を抽出することにより、無線基地局装置２００ｂの中継装置３００側のＭＴＵ値を取得する。
【０１３９】
［ステップＳ３２０］移動局１００は、ユーザデータから生成したパケットを、無線基地局装置２００ｂおよび中継装置３００を介してコアネットワーク４００に送信する。ここで送信されるパケットは、データサイズが無線基地局装置２００ｂを経由する伝送路のＭＴＵ値以下であるため、移動先である無線基地局装置２００ｂを経由する伝送路においてもフラグメンテーション処理が実行されることなく伝送される。
【０１４０】
このように、移動局１００は、ハンドオーバ時にも、ハンドオーバ指示メッセージに含まれているＭＴＵ値を抽出することにより、移動先の無線基地局装置２００ｂのＭＴＵ値を取得することができる。これにより、移動局１００がＭＴＵ探索を実行する必要がなく、また、移動先の無線基地局装置２００ｂがフラグメンテーション処理を実行することによるネットワーク上の負荷の増加を防止することができる。
【０１４１】
次に、本実施の形態の移動通信システムにおいて、停止していた無線基地局装置が動作を再開する時の処理について説明する。
本実施の形態では、無線基地局装置２００の動作の再開時において、接続対象の中継装置３００から送信される、無線基地局装置２００に対して再開開始処理（再起動処理）の実行を指示する再開開始指示メッセージに、再開開始後において無線基地局装置２００に設定されるＭＴＵ値が含まれている。無線基地局装置２００（または接続対向ノード）は、通知された再開開始指示メッセージからＭＴＵ値を抽出して基地局記憶部２３０に記憶させる。無線基地局装置２００は、その後、移動局１００の呼の着信または発信の開始があった場合には、記憶したＭＴＵ値をＲＲＣメッセージに含めて移動局１００に通知する。
【０１４２】
まず、本実施の形態の移動通信システムをＬＴＥシステムで構成した場合における無線基地局装置２００の動作を再開する時の処理の手順について説明する。
図１３は、ＬＴＥシステムで構成した場合における無線基地局装置の再開時の手順を示すシーケンス図である。
【０１４３】
［ステップＳ４１１］中継装置３００は、経路ＭＴＵ探索でコアネットワーク４００側のＭＴＵ値を取得し、取得したＭＴＵ値を中継装置記憶部３３０に記憶させる。なお、以前にコアネットワーク４００側のＭＴＵ値を記憶していた場合には、中継装置３００は、これを今回取得したＭＴＵ値で更新する。
【０１４４】
［ステップＳ４１２］中継装置３００は、無線基地局装置２００に対して、再開開始指示メッセージを通知する。この再開開始指示メッセージには、ステップＳ４１１で記憶したＭＴＵ値が含まれている。これにより、無線基地局装置２００に設定されるＭＴＵ値が中継装置３００から動作を再開する無線基地局装置２００に対して送信される。
【０１４５】
［ステップＳ４１３］無線基地局装置２００は、ステップＳ４１２で中継装置３００から送信された再開開始指示メッセージを受信すると、受信したＲＲＣメッセージに含まれているＭＴＵ値を抽出することにより、無線基地局装置２００側のＭＴＵ値を取得する。
【０１４６】
［ステップＳ４１４］無線基地局装置２００は、ステップＳ４１２で中継装置３００から送信された再開開始指示メッセージを受信すると、再開開始処理を実行する。この再開開始処理によって無線基地局装置２００の動作が再開すると、無線基地局装置２００は、中継装置３００に対して、動作を再開した旨を通知する再開通知メッセージを送信する。その後、無線基地局装置２００の動作の再開が完了する。
【０１４７】
［ステップＳ４１５］無線基地局装置２００は、ステップＳ４１３で取得したＭＴＵ値を基地局記憶部２３０に記憶させる。その後、上記のように、無線基地局装置２００は、移動局１００の呼の着信または発信の開始があった場合には、記憶したＭＴＵ値をＲＲＣメッセージに含めて移動局１００に通知する。
【０１４８】
これにより、無線基地局装置２００において動作の再開が行われた時にも、中継装置３００から、中継装置３００が保持しているＭＴＵ値が通知される。従って、無線基地局装置２００の動作の再開時にＭＴＵ探索を行う必要がないので、再開時におけるネットワークの負荷の増加を防止することができる。
【０１４９】
次に、本実施の形態の移動通信システムを３Ｇシステムで構成した場合における無線基地局装置２００の動作を再開する時の処理の手順について説明する。３Ｇシステムでは、無線基地局装置２００の動作の再開には、ノードＢアプリケーション部（NBAP:Node B Application Part）メッセージが用いられる。
【０１５０】
図１４および図１５は、３Ｇシステムで構成した場合における無線基地局装置の再開時の手順を示すシーケンス図である。
［ステップＳ５１１］中継装置３００は、経路ＭＴＵ探索でコアネットワーク４００側のＭＴＵ値を取得し、取得したＭＴＵ値を中継装置記憶部３３０に記憶させる。なお、以前にコアネットワーク４００側のＭＴＵ値を記憶していた場合には、中継装置３００は、これを今回取得したＭＴＵ値で更新する。
【０１５１】
［ステップＳ５１２］中継装置３００は、無線基地局装置２００に対して、再開開始指示メッセージを通知する。この再開開始指示メッセージには、ステップＳ５１１で記憶したＭＴＵ値が含まれている。これにより、無線基地局装置２００に設定されるＭＴＵ値が中継装置３００から動作を再開する無線基地局装置２００に対して送信される。
【０１５２】
［ステップＳ５１３］無線基地局装置２００は、ステップＳ５１２で中継装置３００から送信された再開開始指示メッセージを受信すると、受信したＲＲＣメッセージに含まれているＭＴＵ値を抽出することにより、無線基地局装置２００側のＭＴＵ値を取得する。
【０１５３】
［ステップＳ５１４］無線基地局装置２００は、ステップＳ５１２で中継装置３００から送信された再開開始指示メッセージを受信すると、再開開始処理を実行する。この再開開始処理によって無線基地局装置２００の動作が再開すると、無線基地局装置２００は、中継装置３００に対して、動作を再開した旨を通知する再開通知メッセージを送信する。
【０１５４】
［ステップＳ５１５］中継装置３００は、ステップＳ５１４において無線基地局装置２００から送信された再開完了通知メッセージを受信すると、無線基地局装置２００に対して、セルセットアップ要求を送信する。このセルセットアップ要求は、ＮＢＡＰ（Cell Setup Request）メッセージを用いて通知される。
【０１５５】
［ステップＳ５１６］無線基地局装置２００は、ステップＳ５１５において中継装置３００から送信されたセルセットアップ要求を受信すると、中継装置３００に対して、セルセットアップ応答を送信する。このセルセットアップ応答は、ＮＢＡＰ（Cell Setup Response）メッセージを用いて通知される。なお、このステップＳ５１５およびステップＳ５１６は、無線基地局装置２００の対象セクタに応じて繰り返される。
【０１５６】
［ステップＳ５１７］中継装置３００は、ステップＳ５１６において無線基地局装置２００から送信されたセルセットアップ応答を受信すると、無線基地局装置２００に対して、共通トランスポートチャネルセットアップ要求を送信する。この共通トランスポートチャネルセットアップ要求は、ＮＢＡＰ（Common Transport Channel Setup Request）メッセージを用いて通知される。また、この共通トランスポートチャネルセットアップ要求は、ＳＣＣＰＣＨ（Secondly Common Control Physical Channel）上にマッピングされたＰＣＨ（Paging CHannel），ＦＡＣＨ（Forward Access CHannel）によって送信される。
【０１５７】
［ステップＳ５１８］無線基地局装置２００は、ステップＳ５１７において中継装置３００から送信された共通トランスポートチャネルセットアップ要求を受信すると、中継装置３００に対して、共通トランスポートチャネルセットアップ応答を送信する。この共通トランスポートチャネルセットアップ応答は、ＮＢＡＰ（Common Transport Channel Setup Response）メッセージを用いて通知される。また、共通トランスポートチャネルセットアップ応答は、ＳＣＣＰＣＨによって送信される。なお、このステップＳ５１７およびステップＳ５１８は、無線基地局装置２００の対象セクタに応じて繰り返される。
【０１５８】
［ステップＳ５２１］中継装置３００は、ステップＳ５１８（図１４参照）において無線基地局装置２００から送信された共通トランスポートチャネルセットアップ応答を受信すると、無線基地局装置２００に対して、確立要求を送信する。この確立要求は、ＡＬＣＡＰ（Access Link Control Application Protocol）（Establish Request）メッセージを用いて通知される。
【０１５９】
［ステップＳ５２２］無線基地局装置２００は、ステップＳ５２１において中継装置３００から送信された確立要求を受信すると、中継装置３００に対して、確立応答を送信する。この確立応答は、ＡＬＣＡＰ（Establish Response）メッセージを用いて通知される。なお、このステップＳ５２１およびステップＳ５２２は、無線基地局装置２００の対象となるトランスポートチャネル（Transport Channel）に応じて繰り返される。
【０１６０】
［ステップＳ５２３］中継装置３００は、ステップＳ５２２において無線基地局装置２００から送信された確立応答を受信すると、無線基地局装置２００に対して、共通トランスポートチャネルセットアップ要求を送信する。この共通トランスポートチャネルセットアップ要求は、ＮＢＡＰ（Common Transport Channel Setup Request）メッセージを用いて通知される。また、この共通トランスポートチャネルセットアップ要求は、ＳＣＣＰＣＨ上にマッピングされたＲＡＣＨ（Random Access Channel）によって送信される。
【０１６１】
［ステップＳ５２４］無線基地局装置２００は、ステップＳ５２３において中継装置３００から送信された共通トランスポートチャネルセットアップ要求を受信すると、中継装置３００に対して、共通トランスポートチャネルセットアップ応答を送信する。この共通トランスポートチャネルセットアップ応答は、ＮＢＡＰ（Common Transport Channel Setup Response）メッセージを用いて通知される。また、共通トランスポートチャネルセットアップ応答は、ＳＣＣＰＣＨによって送信される。なお、このステップＳ５２３およびステップＳ５２４は、無線基地局装置２００の対象セクタに応じて繰り返される。
【０１６２】
［ステップＳ５２５］中継装置３００は、ステップＳ５２４において無線基地局装置２００から送信された共通トランスポートチャネルセットアップ応答を受信すると、無線基地局装置２００に対して、確立要求を送信する。この確立要求は、ＡＬＣＡＰ（Establish Request）メッセージを用いて通知される。
【０１６３】
［ステップＳ５２６］無線基地局装置２００は、ステップＳ５２５において中継装置３００から送信された確立要求を受信すると、中継装置３００に対して、確立応答を送信する。この確立応答は、ＡＬＣＡＰ（Establish Response）メッセージを用いて通知される。なお、このステップＳ５２５およびステップＳ５２６は、無線基地局装置２００の対象となるトランスポートチャネル（Transport Channel）に応じて繰り返される。
【０１６４】
［ステップＳ５２７］中継装置３００は、ステップＳ５２６において無線基地局装置２００から送信された確立応答を受信すると、無線基地局装置２００に対して、システム情報更新要求を送信する。このシステム情報更新要求は、ＮＢＡＰ（System Information Update Request）メッセージを用いて通知される。
【０１６５】
［ステップＳ５２８］無線基地局装置２００は、ステップＳ５２７において中継装置３００から送信されたシステム情報更新要求を受信すると、中継装置３００に対して、システム情報更新応答を送信する。このシステム情報更新応答は、ＮＢＡＰ（System Information Update Response）メッセージを用いて通知される。なお、このステップＳ５２７およびステップＳ５２８は、無線基地局装置２００の対象セクタに応じて繰り返される。
【０１６６】
［ステップＳ５２９］無線基地局装置２００は、ステップＳ５１３で取得したＭＴＵ値を基地局記憶部２３０に記憶させる。その後、上記のように、無線基地局装置２００は、移動局１００の呼の着信または発信の開始があった場合には、記憶したＭＴＵ値をＲＲＣメッセージに含めて移動局１００に通知する。
【０１６７】
これにより、３Ｇシステムで構成された移動通信システムの無線基地局装置２００において動作の再開が行われた時にも、中継装置３００から、中継装置３００が保持しているＭＴＵ値が通知される。従って、無線基地局装置２００の動作の再開時にＭＴＵ探索を行う必要がないので、再開時におけるネットワークの負荷の増加を防止することができる。
【０１６８】
以上のようにして、本実施の形態では、データを伝送する伝送路のＭＴＵ値を取得して移動局に通知するので、伝送路を構成する装置の負荷の増加を抑えつつ、伝送路のＭＴＵ値に応じたデータサイズによって移動局側からデータを送信させることが可能になる。
【０１６９】
また、無線基地局装置２００は、それぞれ記憶しているＭＴＵ値を所定の契機で最新の状態に更新するので、ネットワーク構成の変化（トポロジー変化）に応じて移動局１００から送信されるデータのデータサイズを変更させることができる。
【０１７０】
また、中継装置３００は、それぞれ記憶しているＭＴＵ値を所定の契機で最新の状態に更新するので、ネットワーク構成の変化に応じて移動局１００から送信されるデータのデータサイズを変更させることができる。
【０１７１】
また、無線基地局装置２００で一つのＭＴＵ値を取得し、複数の移動局１００ａ，１００ｂによって呼の接続が開始された場合には、このＭＴＵ値を各移動局１００ａ，１００ｂに送信するので、移動局１００ａ，１００ｂ側で経路ＭＴＵ探索を行う必要がないためネットワークの負荷の増加を防止でき、ネットワークの伝送効率の低下を防止することができる。
【０１７２】
以上、開示の移動通信システム、移動通信方法および通信装置を、図示の実施の形態に基づいて説明したが、上記については単に本発明の原理を示すものである。また、上記で説明した正確な構成および応用例に限定されるものではなく、さらに、多数の変形、変更が当業者にとって可能であり、対応するすべての変形例および均等物は、添付の請求項およびその均等物による開示の範囲とみなされ、各部の構成は同様の機能を有する任意の構成のものに置換することができる。また、他の任意の構成物や工程が付加されてもよい。また、前述した実施の形態のうちの任意の２以上の構成を組み合わせたものであってもよい。
【０１７３】
（付記１）  無線基地局装置によって移動局との間でデータの無線通信を行う移動通信システムにおいて、
前記無線基地局装置は、
前記移動局から送信される前記データが伝送される伝送路の１回の転送で送信できるデータの最大値であるＭＴＵ値を記憶する基地局記憶手段と、
前記伝送路の前記ＭＴＵ値を取得し、取得した前記ＭＴＵ値を前記基地局記憶手段に記憶させる基地局取得手段と、
前記移動局に対して前記基地局記憶手段によって記憶されている前記ＭＴＵ値を通知する基地局通知手段と、
を有し、
前記移動局は、
前記基地局通知手段によって通知される前記伝送路の前記ＭＴＵ値を記憶する移動局記憶手段と、
前記基地局通知手段によって通知される前記ＭＴＵ値を取得し、取得した前記ＭＴＵ値を前記移動局記憶手段に記憶させる移動局取得手段と、
前記データの送信先に対して前記移動局記憶手段によって記憶されている前記ＭＴＵ値によって示されるデータサイズ以下で前記データを送信する移動局送信手段と、
を有することを特徴とする移動通信システム。
【０１７４】
（付記２）  前記移動局による前記データの送信先側の伝送路である送信先側伝送路の前記ＭＴＵ値を記憶する中継装置記憶手段と、
前記送信先側伝送路の前記ＭＴＵ値を取得する前記中継装置取得手段と、
前記無線基地局装置が有する前記基地局取得手段に対して前記中継装置記憶手段に記憶されている前記ＭＴＵ値を通知する中継装置通知手段と、
を有する中継装置を有し、
前記基地局取得手段は、前記中継装置通知手段によって通知された前記ＭＴＵ値を取得し、取得した前記ＭＴＵ値を前記基地局記憶手段に記憶させることを特徴とする付記１記載の移動通信システム。
【０１７５】
（付記３）  前記基地局取得手段は、前記移動局においてハンドオーバが行われる場合には、前記移動局のハンドオーバ後に接続される前記無線基地局装置である移動先無線基地局装置の送信先側の前記伝送路の前記ＭＴＵ値を取得し、取得した前記ＭＴＵ値を前記基地局記憶手段に記憶させ、
前記基地局通知手段は、前記移動先無線基地局装置から取得された前記ＭＴＵ値が前記基地局記憶手段に記憶されると、前記基地局記憶手段に記憶されている移動先無線基地局装置から取得された前記ＭＴＵ値を前記移動局に通知することを特徴とする付記２記載の移動通信システム。
【０１７６】
（付記４）  前記中継装置通知手段は、前記無線基地局装置が動作を開始する場合に、前記中継装置記憶手段に記憶されている前記ＭＴＵ値を前記無線基地局装置が有する前記基地局取得手段に対して通知し、
前記基地局取得手段は、前記無線基地局装置が動作を開始する場合に前記中継装置通知手段から通知された前記ＭＴＵ値を取得し、取得した前記ＭＴＵ値を前記基地局記憶手段に記憶させることを特徴とする付記２記載の移動通信システム。
【０１７７】
（付記５）  前記基地局通知手段は、前記移動局において呼の接続が開始された場合に、前記移動局に対して前記基地局記憶手段によって記憶されている前記ＭＴＵ値を通知することを特徴とする付記１記載の移動通信システム。
【０１７８】
（付記６）  前記基地局通知手段は、前記移動局における呼の接続に用いられるメッセージに前記基地局記憶手段によって記憶されている前記ＭＴＵ値を含め、前記メッセージを前記移動局に対して送信することによって、前記移動局に対して前記基地局記憶手段によって記憶されている前記ＭＴＵ値を通知することを特徴とする付記１記載の移動通信システム。
【０１７９】
（付記７）  前記中継装置通知手段は、前記移動局における呼の接続に用いられるメッセージに前記中継装置記憶手段によって記憶されている前記ＭＴＵ値を含め、前記メッセージを前記移動局に対して送信することによって、前記無線基地局装置に対して前記中継装置記憶手段によって記憶されている前記ＭＴＵ値を通知することを特徴とする付記２記載の移動通信システム。
【０１８０】
（付記８）  前記基地局取得手段は、所定の時間間隔毎に、前記伝送路の前記ＭＴＵ値を取得し、取得した前記ＭＴＵ値によって前記基地局記憶手段に記憶させた前記ＭＴＵ値を更新させることを特徴とする付記１記載の移動通信システム。
【０１８１】
（付記９）  前記中継装置取得手段は、所定の時間間隔毎に、前記伝送路の前記ＭＴＵ値を取得し、取得した前記ＭＴＵ値によって前記中継装置記憶手段に記憶させた前記ＭＴＵ値を更新させることを特徴とする付記２記載の移動通信システム。
【０１８２】
（付記１０）  無線基地局装置によって移動局との間でデータの無線通信を行う移動通信方法において、
前記無線基地局装置が、前記移動局から送信される前記データが伝送される伝送路の１回の転送で送信できるデータの最大値であるＭＴＵ値を取得し、
前記無線基地局装置が、取得した前記ＭＴＵ値を記憶し、
前記無線基地局装置が、前記移動局に対して記憶している前記ＭＴＵ値を通知し、
前記移動局が、前記無線基地局装置によって通知される前記ＭＴＵ値を取得し、
前記移動局が、取得した前記ＭＴＵ値を記憶し、
前記移動局が、前記データの送信先に対して記憶している前記ＭＴＵ値によって示されるデータサイズ以下で前記データを送信することを特徴とする移動通信方法。
【０１８３】
（付記１１）  移動局との間でデータの無線通信を行う通信装置において、
前記移動局から送信される前記データが伝送される伝送路の１回の転送で送信できるデータの最大値であるＭＴＵ値を記憶する記憶手段と、
前記伝送路の前記ＭＴＵ値を取得し、取得した前記ＭＴＵ値を前記記憶手段に記憶させる取得手段と、
前記移動局に対して前記記憶手段によって記憶されている前記ＭＴＵ値を通知する通知手段と、
を有することを特徴とする通信装置。
【図面の簡単な説明】
【０１８４】
【図１】本実施の形態の概要を示す図である。
【図２】本実施の形態のシステム構成を示す図である。
【図３】本実施の形態の移動通信システムの構成を示すブロック図である。
【図４】移動通信システムの動作を示すブロック図である。
【図５】Ｓ１−ＡＰメッセージのプロトコルスタックを示す図である。
【図６】呼接続からデータ転送までの処理の手順を示すシーケンス図である。
【図７】呼接続からデータ転送までの処理の手順を示すシーケンス図である。
【図８】移動局が複数存在する場合の呼接続からデータ転送までの処理の手順を示すシーケンス図である。
【図９】移動局が複数存在する場合の呼接続からデータ転送までの処理の手順を示すシーケンス図である。
【図１０】移動局が複数存在する場合の呼接続からデータ転送までの処理の手順を示すシーケンス図である。
【図１１】Ｘ２−ＡＰメッセージのプロトコルスタックを示す図である。
【図１２】ハンドオーバ時の手順を示すシーケンス図である。
【図１３】ＬＴＥシステムで構成した場合における無線基地局装置の再開時の手順を示すシーケンス図である。
【図１４】３Ｇシステムで構成した場合における無線基地局装置の再開時の手順を示すシーケンス図である。
【図１５】３Ｇシステムで構成した場合における無線基地局装置の再開時の手順を示すシーケンス図である。
【符号の説明】
【０１８５】
１  移動局
１ａ  移動局取得手段
１ｂ  移動局送信手段
１ｃ  移動局記憶手段
２  無線基地局装置
２ａ  基地局取得手段
２ｂ  基地局通知手段
２ｃ  基地局記憶手段
４  ネットワーク
【図１】
0005374929.tif 000002
【図２】
0005374929.tif 000003
【図３】
0005374929.tif 000004
【図４】
0005374929.tif 000005
【図５】
0005374929.tif 000006
【図６】
0005374929.tif 000007
【図７】
0005374929.tif 000008
【図８】
0005374929.tif 000009
【図９】
0005374929.tif 000010
【図１０】
0005374929.tif 000011
【図１１】
0005374929.tif 000012
【図１２】
0005374929.tif 000013
【図１３】
0005374929.tif 000014
【図１４】
0005374929.tif 000015
【図１５】
0005374929.tif 000016